(57)【特許請求の範囲】
【請求項１】
プラグの栓刃が挿入される栓刃挿入口を前面に有するコネクタ本体と、このコネクタ本体に設けられるとともに前記栓刃挿入口に挿入された前記栓刃を挟持する刃受部材と、前記コネクタ本体に接続されることにより前記刃受部材に電力を供給するための電線を有するコードと、少なくとも前記栓刃挿入口を前方から覆う閉位置と前記栓刃挿入口を外部に露出させる開位置との間を変位可能な扉体と、前記扉体を前記閉位置へ向かい付勢する付勢部材とを備えるコードコネクタであって、
前記扉体には、栓刃が前記栓刃挿入口に挿入された状態において、プラグを固定することにより前記栓刃が前記栓刃挿入口から抜けることを防止する固定部が設けられ、
前記コネクタ本体には、前記プラグの栓刃を保持するプラグボディの先端部が挿入可能な凹所が設けられ、
前記凹所の底面には、前記栓刃挿入口が設けられ、
前記扉体が前記閉位置のとき、前記扉体は前記凹所の周縁を前方から覆うとともに前記扉体は、表面に扉体側凹所が設けられ、該扉体側凹所に前記固定部が設けられている
ことを特徴とするコードコネクタ。
【請求項２】
請求項１に記載のコードコネクタにおいて、
前記付勢部材により付勢される前記扉体の付勢力を減衰するための付勢力減衰部材が設けられる
ことを特徴とするコードコネクタ。
【請求項３】
請求項１または２に記載のコードコネクタにおいて、
前記プラグには、当該コネクタに同プラグを接続した状態において、前記固定部に固定される突起部が設けられ、
前記扉体には、前記開位置において前記突起部に当接して前記付勢部材による前記扉体を付勢する方向と前記栓刃が前記栓刃挿入口に挿入される栓刃挿入方向との両方に直交する直交方向へのプラグの移動を規制することによって当該コードコネクタに対する前記プ
ラグの位置を前記栓刃と前記栓刃挿入口とが対応する位置に規制する規制部が設けられる
ことを特徴とするコードコネクタ。
【請求項４】
請求項３に記載のコードコネクタにおいて、
前記規制部は、前記扉体の表面に設けられた前記扉体側凹所からなり、
前記突起部は、前記扉体側凹所に納まることにより前記直交方向へのプラグの移動が規制される
ことを特徴とするコードコネクタ。
【請求項５】
プラグボディから栓刃が突出して設けられたプラグと、前記栓刃が挿抜自在に挿入される栓刃挿入口を前面に有するコードコネクタとを備えるプラグおよびコードコネクタにおいて、
前記プラグボディには突起部が設けられ、
前記コードコネクタは、前記栓刃挿入口を前面に有するコネクタ本体と、このコネクタ本体に設けられるとともに前記栓刃挿入口に挿入された前記栓刃を挟持する刃受部材と、前記コネクタ本体に接続されることにより前記刃受部材に電力を供給するための電線を有するコードと、少なくとも前記栓刃挿入口を前方から覆う閉位置と前記栓刃挿入口を外部に露出させる開位置との間を変位可能な扉体と、前記扉体を前記閉位置へ向かい付勢する付勢部材とを備え、
前記扉体には、栓刃が前記栓刃挿入口に挿入された状態において、前記突起部を固定することにより前記栓刃が前記栓刃挿入口から抜けることを防止する固定部が設けられ、
前記コネクタ本体には、前記プラグの栓刃を保持するプラグボディの先端部が挿入可能な凹所が設けられ、
前記凹所の底面には、前記栓刃挿入口が設けられ、
前記扉体が前記閉位置のとき、前記扉体は前記凹所の周縁を前方から覆うとともに前記扉体は、表面に扉体側凹所が設けられ、該扉体側凹所に前記固定部が設けられている
ことを特徴とするプラグおよびコードコネクタ。
【発明の詳細な説明】
【技術分野】
【０００１】
本発明は、栓刃挿入口を前面に有するコネクタ本体と、栓刃挿入口を前方から覆う閉位置と栓刃挿入口を外部に露出させる開位置との間を変位可能な扉体と、扉体を閉位置へ向かい付勢する付勢部材とを備えるコードコネクタ、並びにプラグおよびコードコネクタに関する。
【背景技術】
【０００２】
上記コードコネクタとして、例えば特許文献１に記載の構成のものが知られている。
このようなコードコネクタのボディには、栓刃挿入口を覆う蓋が設けられている。そしてコードコネクタにプラグを接続するときには、ボディから蓋を取り外した後、プラグの栓刃をコードコネクタの栓刃挿入口に挿入する。
【０００３】
また、特許文献１には、プラグに係止される係止部と、コードコネクタに係止される係合部と、係止部および係合部とを連結する連結部とにより構成される抜け防止部材がプラグおよびコードコネクタに取り付けられる構成が開示されている。この構成により、コードコネクタからプラグが抜き去られることを防止している。
【先行技術文献】
【特許文献】
【０００４】
【特許文献１】特開平１０−２７６５１号公報
【発明の概要】
【発明が解決しようとする課題】
【０００５】
しかしながら、特許文献１のコードコネクタでは、コードコネクタおよびプラグのそれぞれと各別の部材として抜け防止部材を構成しているため、コードコネクタ自体にプラグをコードコネクタに対する抜け止め機構が設けられていない。
【０００６】
本発明は、上記実情に鑑みてなされたものであり、その目的は、栓刃挿入口の防水とコードコネクタに対するプラグの抜け止め構造との両立を図ることのできるコードコネクタ、並びにプラグおよびコードコネクタを提供することにある。
【課題を解決するための手段】
【０００７】
本発明のコードコネクタは、プラグの栓刃が挿入される栓刃挿入口を前面に有するコネクタ本体と、このコネクタ本体に設けられるとともに前記栓刃挿入口に挿入された前記栓刃を挟持する刃受部材と、前記コネクタ本体に接続されることにより前記刃受部材に電力を供給するための電線を有するコードと、少なくとも前記栓刃挿入口を前方から覆う閉位置と前記栓刃挿入口を外部に露出させる開位置との間を変位可能な扉体と、前記扉体を前記閉位置へ向かい付勢する付勢部材とを備え、前記扉体には、栓刃が前記栓刃挿入口に挿入された状態において、プラグを固定することにより前記栓刃が前記栓刃挿入口から抜けることを防止する固定部が設けられ、前記コネクタ本体には、前記プラグの栓刃を保持するプラグボディの先端部が挿入可能な凹所が設けられ、前記凹所の底面には、前記栓刃挿入口が設けられ、前記扉体が前記閉位置のとき、前記扉体は前記凹所の周縁を前方から覆うとともに前記扉体は、表面に扉体側凹所が設けられ、該扉体側凹所に前記固定部が設けられていることを特徴とする。
【０００８】
このコードコネクタにおいて、前記付勢部材により付勢される前記扉体の付勢力を減衰するための付勢力減衰部材が設けられることが好ましい。
【０００９】
このコードコネクタにおいて、前記プラグには、当該コネクタに同プラグを接続した状態において、前記固定部に固定される突起部が設けられ、前記扉体には、前記開位置において前記突起部に当接して前記付勢部材による前記扉体を付勢する方向と前記栓刃が前記栓刃挿入口に挿入される栓刃挿入方向との両方に直交する直交方向へのプラグの移動を規制することによって当該コードコネクタに対する前記プラグの位置を前記栓刃と前記栓刃挿入口とが対応する位置に規制する規制部が設けられることが好ましい。
【００１０】
このコードコネクタにおいて、前記規制部は、前記扉体の表面に設けられた前記扉体側凹所からなり、前記突起部は、前記扉体側凹所に納まることにより前記直交方向へのプラグの移動が規制されることが好ましい。
【００１１】
本発明のプラグおよびコードコネクタは、プラグボディから栓刃が突出して設けられたプラグと、前記栓刃が挿抜自在に挿入されるコードコネクタとを備え、前記プラグボディには突起部が設けられ、前記コードコネクタは、前記栓刃挿入口を前面に有するコネクタ本体と、このコネクタ本体に設けられるとともに前記栓刃挿入口に挿入された前記栓刃を挟持する刃受部材と、前記コネクタ本体に接続されることにより前記刃受部材に電力を供給するための電線を有するコードと、少なくとも前記栓刃挿入口を前方から覆う閉位置と前記栓刃挿入口を外部に露出させる開位置との間を変位可能な扉体と、前記扉体を前記閉位置へ向かい付勢する付勢部材とを備え、前記扉体には、栓刃が前記栓刃挿入口に挿入された状態において、前記突起部を固定することにより前記栓刃が前記栓刃挿入口から抜けることを防止する固定部が設けられ、前記コネクタ本体には、前記プラグの栓刃を保持するプラグボディの先端部が挿入可能な凹所が設けられ、前記凹所の底面には、前記栓刃挿入口が設けられ、前記扉体が前記閉位置のとき、前記扉体は前記凹所の周縁を前方から覆うとともに前記扉体は、表面に扉体側凹所が設けられ、該扉体側凹所に前記固定部が設けられていることを特徴とする。
【発明の効果】
【００１２】
本発明によれば、栓刃挿入口の防水とコードコネクタに対するプラグの抜け止め構造との両立を図ることのできるコードコネクタ、並びにプラグおよびコードコネクタを提供することができる。
【図面の簡単な説明】
【００１３】
【図１】本発明のコードコネクタの参考例について、同コネクタの分解斜視構造を示す斜視図。
【図２】同参考例のコードコネクタについて、（ａ）は扉体が開位置の状態のコードコネクタの斜視構造を示す斜視図、（ｂ）は扉体が閉位置の状態のコードコネクタの斜視構造を示す斜視図。
【図３】同参考例のコードコネクタの断面構造を示す断面図。
【図４】同参考例のコードコネクタに接続されるプラグについて、（ａ）はプラグを上方から見た斜視構造を示す斜視図、（ｂ）はプラグを下方から見た斜視構造を示す斜視図。
【図５】同参考例のコードコネクタおよびプラグについて、（ａ）〜（ｄ）は、コードコネクタにプラグを接続する態様を示す模式図。
【図６】同参考例のコードコネクタおよびプラグについて、（ａ）および（ｂ）は、コードコネクタにプラグが接続された状態において、コードコネクタの突起部とプラグの突起部との位置関係を示す平面図。
【図７】同参考例のコードコネクタおよびプラグについて、（ａ）〜（ｃ）は、コードコネクタからプラグを抜き去る態様を示す模式図。
【図８】本発明のコードコネクタの実施形態について、同コネクタの扉体の斜視構造を示す斜視図。
【図９】同実施形態のコードコネクタおよびプラグについて、（ａ）〜（ｄ）は、コードコネクタにプラグを接続する態様を示す模式図。
【図１０】本発明のコードコネクタのその他の実施形態について、コードコネクタの正面構造を示す正面図。
【発明を実施するための形態】
【００１４】
（参考例）
図１〜図７を参照して、本発明の参考例について説明する。なお、図１の一部では、支持部１３およびダンパ３４を拡大して示している。また図２では、扉体３１を省略して示している。
【００１５】
本参考例のコードコネクタ（以下、「コネクタ１」）は、供給電流１５（Ａ）および供給電圧１２５（Ｖ）に適用するものである。このコネクタ１は、工場に設置された電源装置３と、工場内の電気設備機器（不図示）に設けられたプラグ２との接続に用いられている。コネクタ１とプラグ２とが接続されることにより、電気設備機器に電源装置３の電力が供給される。
【００１６】
図１に示すように、コネクタ１は、筐体となるコネクタ本体１０と、コネクタ本体１０の後端部に接続されるコード２０と、コネクタ本体１０の前端部に取り付けられる扉体開閉機構３０とを含む。コード２０は、電源装置３に接続されている。これにより、電源装置３からコネクタ本体１０に電力が供給される。
【００１７】
コネクタ本体１０には、樹脂材料を用いて成形された円筒形状のコネクタボディ１１が設けられている。コネクタボディ１１内には、コード２０に接続されるとともに、プラグ２の栓刃５２（ともに図４参照）が接続されることにより栓刃５２に電力が供給される刃受部材４０（図３参照）が収納されている。
【００１８】
コネクタボディ１１の前端部には、同ボディ１１の前面１１Ａから後方に向けて凹む凹所１２と、扉体開閉機構３０を支持するための支持部１３とが設けられている。
凹所１２は、前方から見た平面視において丸形に形成されている。凹所１２の内径は、プラグ２のプラグボディ５１（図４参照）の先端部の外径と略等しい。具体的には、凹所１２の内径は、この凹所１２に挿入されるプラグボディ５１の先端部の外径よりも若干大きい。
【００１９】
凹所１２の底面１２Ａには、栓刃挿入口１４が設けられている。栓刃挿入口１４は、左右方向Ｙに配列された電源用挿入口１４Ａと、２つの電源用挿入口１４Ａの間かつ電源用挿入口１４Ａより下方に配置された接地用挿入口１４Ｂとを含む。
【００２０】
支持部１３は、コネクタボディ１１の前面１１Ａよりも前方に突出している。この支持部１３には、左右方向Ｙに向けて支持部１３を貫通する貫通孔１３Ａと、支持部１３の後面から前方に向けて凹む収容凹部１３Ｂとが設けられている。
【００２１】
貫通孔１３Ａは、前面１１Ａよりも前方となるように設けられている。収容凹部１３Ｂは、支持部１３の左右方向Ｙの中央部に設けられている。貫通孔１３Ａと収容凹部１３Ｂとは互いに連通する。
【００２２】
扉体開閉機構３０は、扉体３１と、シャフト３２と、つるまきばね（以下、「ばね部材３３」）と、ダンパ３４とを含む。扉体３１は、栓刃挿入口１４を開閉する。シャフト３２は、貫通孔１３Ａに挿入されるとともに、扉体３１の回転中心となる。ばね部材３３は、シャフト３２と扉体３１との間に係合されるとともに、扉体３１を付勢する。ダンパ３４は、ばね部材３３による扉体３１の付勢力を減衰するための付勢力減衰部材である。
【００２３】
扉体３１は、扉体３１が開位置において丸形状となる平板にて形成されている。扉体３１の外径は、凹所１２を構成する前端部の内周面の内径よりも大きい。
扉体３１の前後方向Ｘおよび左右方向Ｙの中央部には、プラグ２がコネクタ１に接続された状態において、プラグ２に当接する２つの当接突起部３５が設けられている。これら当接突起部３５は、左右方向Ｙに近接して配列されている。各当接突起部３５は、左右方向Ｙから見た平面視において扉体３１の表面から上方に向けて突出する三角形状に形成されている。すなわち、各当接突起部３５には、後方に向かうにつれて上方に向けて傾斜する傾斜部３５Ａと、傾斜部３５Ａの頂部と扉体３１の表面とを連結するとともに上下方向Ｚに沿って延びる固定部３５Ｂとが設けられている。
【００２４】
扉体３１の後端部には、シャフト３２が圧入される一対のシャフト固定部３６が設けられている。これらシャフト固定部３６は、左右方向Ｙに離間して設けられている。そして、扉体開閉機構３０がコネクタボディ１１に取り付けられた状態において、一対のシャフト固定部３６は支持部１３を左右方向Ｙの両側から挟む。このように扉体３１がシャフト３２を介して支持部１３に取り付けられたとき、支持部１３に対して扉体３１はシャフト３２と一体に回転する。
【００２５】
ダンパ３４は、支持部１３の収容凹部１３Ｂに挿入される。ダンパ３４には、同ダンパ３４を左右方向Ｙに貫通する貫通孔３４Ａが設けられている。この貫通孔３４Ａには、グリスが注入されるとともにシャフト３２が挿通される。これにより、シャフト３２は、グリスを介してダンパ３４と擦れ合いながらダンパ３４に対して回動する。
【００２６】
扉体３１は、図２（ａ）に示すように栓刃挿入口１４を外部に露出する開位置から図２（ｂ）に示すように栓刃挿入口１４を前方から覆う閉位置までの間で変位する。すなわち、扉体３１は、シャフト３２を回動中心として開位置から閉位置までの間で回動する。以降では、扉体３１の回動方向を「開閉方向Ｗ」とし、扉体３１を開く方向を「開方向」とし、扉体３１を閉じる方向を「閉方向」とする。
【００２７】
図２（ａ）および図２（ｂ）に示すように、シャフト３２はコネクタボディ１１の前面１１Ａよりも前方に配置されている。そして、扉体３１が開位置および閉位置の両方の場合において、扉体３１の全体が上記前面１１Ａよりも前方に配置されている。
【００２８】
図２（ｂ）に示すように、扉体３１が閉位置のとき、扉体３１は凹所１２を前方から覆う。すなわち、扉体３１は、栓刃挿入口１４を前方から覆う。具体的には、扉体３１がコネクタボディ１１の前面１１Ａのうちの凹所１２の周縁の部位と当接する。また、ばね部材３３（図１参照）は、扉体３１を閉方向に向けて付勢している。これにより、扉体３１が閉位置のとき、ばね部材３３の付勢力により、扉体３１はコネクタボディ１１の前面１１Ａを後方に向けて付勢している。
【００２９】
図３に示すように、コネクタボディ１１の内部には、刃受部材４０を保持するためのホルダ１５と、ホルダ１５を前方から覆うカバー１６とが設けられている。ホルダ１５は、コネクタボディ１１に固定されている。カバー１６は、ホルダ１５の前端部に固定されている。カバー１６には、栓刃挿入口１４として前後方向Ｘに貫通する貫通孔が設けられている。
【００３０】
刃受部材４０は、単一部材の銅板により成形されている。この刃受部材４０は、プラグ２の一対の電源用栓刃５２Ａ（図４参照）を挟持するための刃受部４１と、コード２０が接続される接続端子４２と、刃受部４１および接続端子４２を連結する連結部４３とを含む。刃受部４１は、一対の挟持片から構成されている。また、コネクタ１には、刃受部材４０の他に接地ピン５２Ｂと接続する刃受部材（不図示）が設けられている。接続端子４２には、コード２０の電線２１が接続されている。これにより、電源装置３（図１参照）からの電力がコード２０を介して刃受部材４０に供給される。
【００３１】
図４を参照して、プラグ２の構成について説明する。
図４（ａ）に示すように、プラグ２は、前後方向Ｘに長手となる円筒形状に形成されるとともに使用者が把持するプラグボディ５１と、プラグボディ５１から後方に向けて突出する栓刃５２と、プラグボディ５１の前端部に接続されるケーブル５３とを含む。栓刃５２は、左右方向Ｙに配列される一対の電源用栓刃５２Ａと、２つの電源用栓刃５２Ａの左右方向Ｙの間かつ栓刃５２Ａより下方に配置される接地ピン５２Ｂとを含む。電源用栓刃５２Ａは平板形状に形成されている。接地ピン５２Ｂは丸ピン形状に形成されている。
【００３２】
プラグボディ５１の後端部の上方には、電源用栓刃５２Ａと接地ピン５２Ｂとの位置を示す位置表示部５４が設けられている。プラグボディ５１の前後方向Ｘの中央部の両側面には、使用者の指がかかる平面形状の把持部５５が設けられている。プラグボディ５１の前後方向Ｘの中央部の下方には、下方に向けて球面状に突出する突起部５６が設けられている。
【００３３】
位置表示部５４は前後方向Ｘに沿って延びる長方形状の突起である。そして位置表示部５４がプラグ２の上方に位置する場合には、電源用栓刃５２Ａが左右方向Ｙに配列されるとともに、その下方に接地ピン５２Ｂが配置される。
【００３４】
図４（ｂ）に示すように、突起部５６は、前方に向かうにつれて下方に傾斜する傾斜部５７と、傾斜部５７の下端部から前方に向けて延びる頂部５８と、頂部５８の前端部から前方に向かうにつれて上方に傾斜する当接部５９とを含む。傾斜部５７の左右方向Ｙの中央部には、上方に向けて凹む後方凹部５７Ａが設けられている。当接部５９の左右方向Ｙの中央部には、上方に向けて凹む前方凹部５９Ａが設けられている。これら凹部５７Ａ，５９Ａは、頂部５８により区画されている。
【００３５】
後方凹部５７Ａは、後方に向かうにつれて左右方向Ｙの幅が大きくなるように傾斜する一対の後方側面５７Ｂと、後方側面５７Ｂの前端部において左右方向Ｙに後方側面５７Ｂを連結するとともに上下方向Ｚに沿って延びる連結面５７Ｃとを含む。
【００３６】
前方凹部５９Ａは、左右方向Ｙにおいて互いに対向するとともに上下方向Ｚに沿って延びる一対の前方側面５９Ｂと、前方側面５９Ｂの後端部において左右方向Ｙに前方側面５９Ｂを連結するとともに上下方向Ｚに沿って延びる当接面５９Ｃとを含む。
【００３７】
図５および図６を参照して、プラグ２をコネクタ１に接続する態様について説明する。なお、図５では、コネクタ１の内部構造を省略して示すとともに扉体３１のみを断面構造として示している。また、プラグ２のケーブル５３を省略して示している。
【００３８】
図５（ａ）に示すように、使用者は、扉体３１が閉位置から開位置となるように扉体３１を変位させる（以下、「開操作」）。扉体３１が開操作された状態において、図５（ｂ）に示すように、プラグ２の位置表示部５４が上方となるようにプラグ２の向きを調整した後、プラグ２の突起部５６を扉体３１に当接させる。このとき、使用者は扉体３１から手を離したとしても、プラグ２により扉体３１は開位置が保持される。
【００３９】
この状態において、栓刃５２は栓刃挿入口１４（図２参照）に対して前後方向Ｘに対応した位置に配置される。そしてこの状態において、プラグ２を後方に向けて挿入すると、栓刃５２は栓刃挿入口１４に挿入される。
【００４０】
そして図５（ｃ）に示すように、プラグ２を後方に移動させて、突起部５６と扉体３１の当接突起部３５とを当接させることにより、扉体３１は図５（ｂ）に示す開位置よりも開方向に移動した位置となるように回動される。このとき、接地ピン５２Ｂは、接地用挿入口１４Ｂ（図２参照）に挿入される。そして電源用栓刃５２Ａの先端部は、電源用挿入口１４Ａ（図２参照）に挿入される。
【００４１】
図５（ｄ）に示すように、突起部５６が当接突起部３５の頂部を乗り越えた後、扉体３１はばね部材３３（図１参照）の付勢力により閉方向に向かい回動するとともに当接突起部３５の頂部がプラグボディ５１に当接した状態にて回動が停止する。このとき、栓刃５２が栓刃挿入口１４（図１参照）に挿入された状態となるとともにプラグボディ５１の後端部は、凹所１２に挿入される。これにより、プラグ２がコネクタ１に接続完了となる。
【００４２】
この状態において、電源用栓刃５２Ａは、刃受部材４０の刃受部４１（図３参照）により挟持された状態となる。接地ピン５２Ｂも同様に刃受部材の刃受部に挟持された状態となる。
【００４３】
加えて、凹所１２の内周面とプラグボディ５１の外周面との間には僅かな隙間が形成される。ここで、「僅かな隙間」とは、使用者の指が入ることができない程度に小さい隙間である。これにより、図５（ｃ）から図５（ｄ）の状態となるようにプラグ２を挿入するときに、使用者の指が凹所１２内に入ることが抑制される。
【００４４】
図６に示すように、コネクタ１にプラグ２が接続された状態において、当接突起部３５は、前方凹部５９Ａ内に収容されている。このとき、図６（ａ）に示すように、当接突起部３５の固定部３５Ｂは、当接面５９Ｃに前後方向Ｘにおいて当接している。加えて、図６（ｂ）に示すように、当接突起部３５は、一対の前方側面５９Ｂの左右方向Ｙの間に配置されるとともに、各前方側面５９Ｂと近接している。具体的には、前方側面５９Ｂの左右方向Ｙの幅Ｔ１は、２つの当接突起部３５の左右方向Ｙの幅Ｔ２と略等しい。詳細には、前方側面５９Ｂの幅Ｔ１は、当接突起部３５の幅Ｔ２よりも若干大きい。
【００４５】
このような構成により、扉体３１は、プラグ２を固定する。詳細には、当接突起部３５と突起部５６とが互いに固定することにより栓刃５２が栓刃挿入口１４（図１参照）から抜けることを防止している。そして、当接突起部３５が前方凹部５９Ａに収容されることにより、プラグ２がコネクタ１に対して左右方向Ｙに移動することを規制している。
【００４６】
図７を参照して、コネクタ１からプラグ２を抜き去る態様について説明する。なお、図７では、コネクタ１の内部構造を省略して示すとともに、扉体３１のみを断面構造として示している。また、プラグ２のケーブル５３を省略して示している。
【００４７】
図７（ａ）に示すように、使用者が扉体３１を開方向に移動させる。この状態において、突起部５６と当接突起部３５との固定が外された状態となる。そして図７（ｂ）に示すように、使用者がコネクタ１に対してプラグ２を前方に引き抜くことにより、図７（ｃ）に示すようなコネクタ１からプラグ２が引き抜かれた状態となる。このとき、使用者が扉体３１から指を離すとばね部材３３（図１参照）の付勢力により扉体３１は閉位置となるように回動する。
【００４８】
本参考例によれば、以下の効果を奏することができる。
（１）本参考例では、栓刃挿入口１４を前方から覆う扉体３１と、プラグ２の突起部５６を固定する当接突起部３５とがコネクタ１に設けられている。したがって、コネクタ１は、栓刃挿入口１４の防水とコネクタ１に対するプラグ２の抜け止め構造との両立を図ることができる。
【００４９】
また、扉体３１に当接突起部３５が設けられているため、プラグとコネクタとの抜け止めを行うための専用の部材を有するコネクタの構成と比較して、コネクタ１の部品点数を少なくすることができる。
【００５０】
（２）本参考例では、コネクタ１にダンパ３４が設けられている。このダンパ３４とシャフト３２とが擦れ合いながらダンパ３４に対してシャフト３２が回動する。これにより、ダンパ３４はシャフト３２の回動に対して摺動抵抗を与える。したがって、ばね部材３３の付勢力により扉体３１を開位置にした状態から閉位置に回動するときには、ダンパ３４が設けられていないコネクタと比較して、扉体３１の移動速度が低下する。その結果、扉体３１が閉位置となるときに、扉体３１とコネクタボディ１１の前面１１Ａとの衝突に起因する騒音の低減および扉体３１の破損の抑制を図ることができる。
【００５１】
加えて、支持部１３の収容凹部１３Ｂにダンパ３４が収容される構成である。すなわち支持部１３とダンパ３４とが一体的に構成されている。したがって、支持部１３とダンパ３４とが一体的に構成されない場合と比較して、コネクタ本体１０および扉体３１の大型化を抑制することができる。
【００５２】
（３）本参考例では、コネクタボディ１１に凹所１２が設けられている。そして栓刃挿入口１４に栓刃５２を挿入するときに凹所１２にプラグボディ５１の後端部が挿入される。これにより、使用者がプラグ２をコネクタ１に接続するときに使用者の手が凹所１２内に入ることを抑制することができる。加えて、扉体３１が凹所１２を覆うことにより、凹所１２内に異物が侵入することを抑制することができる。
【００５３】
（４）従来の抜け止め構造として、プラグをコードコネクタに接続した後に所定角度回転させることにより、プラグの栓刃に設けられた透孔にコードコネクタの刃受に設けられた突起が入り込み、プラグをコードコネクタから抜け止めするものが知られている。
【００５４】
しかしながら、このような抜け止め構造では、使用者がプラグを所定角度回転させる作業を忘れたとき、コードコネクタに対するプラグの抜け止めを行うことができない問題があった。
【００５５】
その点、本参考例では、扉体３１がばね部材３３によって閉位置に向けて付勢されている。そして、コネクタ１にプラグ２を接続するとき、プラグ２の突起部５６が当接突起部３５の頂部を乗り越えるとともに、突起部５６の前方凹部５９Ａ内に当接突起部３５が収容される。この状態において、前方凹部５９Ａの当接面５９Ｃと当接突起部３５の固定部３５Ｂとが互いに当接する。これにより、栓刃５２が栓刃挿入口１４に挿入した状態が維持される。したがって、使用者がコネクタ１とプラグ２とを接続するだけでプラグ２のコネクタ１からの抜け止めを行うことができる。その結果、従来のように使用者がコネクタに対してプラグを回転させる作業を行うことにより抜け止めを行う構成よりも使用者がコネクタとプラグとの抜け止めを忘れる頻度を少なくすることができる。
【００５６】
（５）従来のコネクタに設けられた栓刃挿入口を覆う蓋は、可撓性に富んだ帯状の連結部材にてコネクタボディに連結する構成であった。しかしながら、このようなコネクタは、使用者がコネクタからプラグを抜き去った後にコネクタに扉体を取り付ける作業を行うことにより、コネクタの栓刃挿入口を覆う。そのため、使用者がコネクタに扉体を取り付ける作業を忘れた場合には、栓刃挿入口に水等の異物が侵入するおそれがある。
【００５７】
その点、本参考例では、コネクタ１からプラグ２を抜き去った後、ばね部材３３により扉体３１が閉位置に回動することにより、栓刃挿入口１４を覆う。これにより、使用者がコネクタ１からプラグ２を抜き去る作業だけでコネクタ１の防水および異物の侵入の抑
制を図ることができる。したがって、使用者がコネクタ１に扉体３１を取り付ける作業を忘れる頻度を少なくすることができる。
【００５８】
また、従来の蓋を有するコネクタでは、プラグがコネクタに接続された状態において、蓋は、連結部材を介してプラグボディおよびコネクタボディの両方から離間したところに位置する。したがって、プラグおよびコネクタを接続した状態において、プラグおよびコネクタの美観性が低下していた。
【００５９】
その点、本参考例では、コネクタ１にプラグ２が接続されるとき、扉体３１はプラグ２に接続されるため、プラグ２と扉体３１とが一体化された構造となる。したがって、コネクタ１にプラグ２が接続された状態において、コネクタ１およびプラグ２の美観性を向上させることができる。
【００６０】
（６）本参考例では、扉体３１の当接突起部３５の固定部３５Ｂがプラグ２の突起部５６の当接面５９Ｃと当接するため、栓刃５２が栓刃挿入口１４に挿入した状態を維持する。したがって、プラグ２のケーブル５３を引っ掛ける等によりプラグ２がコネクタ１から抜き去る方向に力が不用意に加わったとしても、コネクタ１からプラグ２が抜けてしまうことを防ぐことができる。
【００６１】
（７）本参考例では、コネクタ１にプラグ２が接続された状態において、突起部５６の前方凹部５９Ａに扉体３１の当接突起部３５が収容される。これにより、プラグ２の左右方向Ｙへの移動を規制することができる。
【００６２】
（８）本参考例では、扉体３１が閉位置において、扉体３１がコネクタボディ１１の前面１１Ａを押圧している。これにより、扉体３１と同前面１１Ａとの間の隙間が小さくなる。したがって、扉体３１が閉位置において、扉体３１と同前面１１Ａとの間の隙間を介して異物が侵入することを抑制することができる。
【００６３】
（９）本参考例では、プラグ２に位置表示部５４が設けられている。したがって、使用者は位置表示部５４を視認することにより、栓刃５２の配置位置を確認することができる。これにより、作業者が直接栓刃５２を見ることにより、栓刃５２の配置位置を確認する作業を省略することができる。
【００６４】
（１０）本参考例では、扉体３１が閉位置において、当接突起部３５が凹所１２に収容されている。これにより、扉体３１が閉位置において、当接突起部３５がコネクタ１の外部から隠れるため、コネクタ１の美観性を向上することができる。
【００６５】
加えて、扉体３１が閉位置において、当接突起部３５は、凹所１２の底面１２Ａと前後方向Ｘに離間して配置されている。これにより、当接突起部３５と底面１２Ａとが接触することにより扉体３１がコネクタボディ１１の前面１１Ａから離間することが抑制される。したがって、扉体３１と前面１１Ａとの間を介して凹所１２内に異物が侵入することを抑制することができる。
【００６６】
（実施形態）
図８および図９を参照して、本発明の実施形態について説明する。
本実施形態では、参考例と異なるところを中心に説明するとともに、同一構成には同一符号を付し、その説明を省略する。
【００６７】
本実施形態では、参考例のコードコネクタ１の構成に加えて、扉体３１に扉体側凹所を構成する凹所６０を追加している。
図８に示すように、凹所６０は、扉体３１の左右方向Ｙの中央部において、同扉体３１の表面から下方に向けて凹むように設けられている。この凹所６０は、扉体３１の後端部から前方に向けて延びている。
【００６８】
凹所６０には、下方の部位を構成する底壁６１と、底壁６１の前端部と扉体３１の前端部の表面とを連結する前方傾斜壁６２と、底壁６１の左右方向Ｙの両側と扉体３１の左右方向Ｙの部位とを連結する側方傾斜壁６３とが設けられている。
【００６９】
凹所６０の前後方向Ｘの中央部には、当接突起部３５が設けられている。当接突起部３５には、後方に向かうにつれて上方に向けて傾斜する傾斜部３５Ａと、傾斜部３５Ａの頂部と扉体３１の表面とを連結するとともに上下方向Ｚに沿って延びる固定部３５Ｂとが設けられている。これにより、凹所６０において、当接突起部３５よりも前方の凹所６０の部位によって規制部６４が設けられるとともに、当接突起部３５よりも後方の凹所６０の部位によって固定部６５が設けられている。固定部６５は、当接突起部３５の固定部３５Ｂを含んで構成されている。
【００７０】
コネクタ１とプラグ２との接続態様について説明する。
図９（ａ）に示すように、使用者は、扉体３１を開操作した状態において、図９（ｂ）に示すように、プラグ２の位置表示部５４が上方となるようにプラグ２の向きを調整した後、プラグ２の突起部５６を扉体３１に当接させる。このとき、使用者は扉体３１から手を離したとしても、プラグ２により扉体３１は開位置が保持される。
【００７１】
加えて、使用者は、栓刃挿入方向である前後方向Ｘの前方に向けてプラグ２を移動させることにより、プラグ２の突起部５６を規制部６４に収納させる。これにより、プラグ２は、前後方向Ｘおよびばね部材３３の付勢方向である開閉方向Ｗの両方に直交する直交方向である左右方向Ｙへの移動が規制される。このとき、扉体３１は閉方向に回動するとともに規制部６４の底壁６１と突起部５６とが互いに当接する。そして、図９（ｂ）に示すコネクタ１に対するプラグ２の位置において、プラグ２の栓刃５２とコネクタ１の栓刃挿入口１４とがそれぞれ対応したところに位置する。
【００７２】
図９（ｃ）に示すように、プラグ２を後方に移動させて、突起部５６と扉体３１の当接突起部３５とを当接させることにより、扉体３１は図５（ｂ）に示す開位置よりも開方向に移動した位置となるように回動される。このとき、接地ピン５２Ｂは、接地用挿入口１４Ｂ（図２参照）に挿入される。そして電源用栓刃５２Ａの先端部は、電源用挿入口１４Ａ（図２参照）に挿入される。
【００７３】
図９（ｄ）に示すように、突起部５６が当接突起部３５の頂部を乗り越えた後、扉体３１はばね部材３３（図１参照）の付勢力により閉方向に向かい回動するとともに当接突起部３５の頂部がプラグボディ５１に当接した状態にて回動が停止する。このとき、プラグ２の突起部５６は、扉体３１の固定部６５に収容される。突起部５６と当接突起部３５との固定構造は、参考例と同様である。またこのとき、栓刃５２が栓刃挿入口１４（図１参照）に挿入された状態となるとともにプラグボディ５１の後端部は、凹所１２に挿入される。これにより、プラグ２がコネクタ１に接続完了となる。
【００７４】
この状態において、電源用栓刃５２Ａは、刃受部材４０の刃受部４１（図３参照）により挟持された状態となる。接地ピン５２Ｂも同様に刃受部材の刃受部に挟持された状態となる。なお、プラグ２をコネクタ１から抜き去る態様は、参考例と同様である。
【００７５】
本実施形態によれば、参考例の効果（１）〜（１０）に加え、以下の効果を奏することができる。
（１１）本実施形態では、扉体３１に凹所６０が設けられ、この凹所６０に規制部６４および固定部６５が設けられる構成である。これにより、扉体３１の表面に当接突起部３５が設けられる構成と比較して、プラグ２をコネクタ１に挿入するとき、扉体３１を開方
向に開くための扉体３１の回転量を少なくすることができる。したがって、扉体３１を開くための仕事を少なくすることができるため、プラグ２をコネクタ１に容易に接続することができる。
【００７６】
（１２）本実施形態では、凹所６０には、規制部６４を構成する前方傾斜壁６２が設けられている。これにより、プラグ２の突起部５６を規制部６４に収納するとき、前方傾斜壁６２によって突起部５６が凹所６０の底壁６１に案内される。したがって、突起部５６を規制部６４に容易に収納することができる。
【００７７】
（１３）本実施形態では、凹所６０には、規制部６４を構成する側方傾斜壁６３が設けられている。これにより、プラグ２の突起部５６を規制部６４に収納するとき、突起部５６が規制部６４に対して左右方向Ｙに異なったところに位置したとしても、側方傾斜壁６３により突起部５６は底壁６１に案内される。したがって、突起部５６を規制部６４に容易に収納することができる。
【００７８】
（その他の実施形態）
本発明のプラグおよびコードコネクタの具体的な構成は、上記参考例及び実施形態に限定されることなく、例えば以下の変更が可能である。また、以下の変形例は、上記参考例及び実施形態についてのみ適用されるものでなく、異なる変形例同士を互いに組み合わせて実施することもできる。
【００７９】
上記参考例では、コネクタ１の固定部として、扉体３１の当接突起部３５が左右方向Ｙに配列された２つの三角形状の突起として設けられたが、コネクタ１の固定部はこれに限られない。例えば、扉体３１の表面から左右方向Ｙおよび上下方向Ｚに延びる平板形状として設けることもできる。要するに、固定部は、プラグ２がコネクタ１に接続された状態において、プラグ２がコネクタ１に対して前方に移動することを規制する形状であればよい。
【００８０】
上記実施形態では、コネクタ１の固定部として、当接突起部３５が左右方向Ｙに配列された２つの三角形状の突起として設けられたが、固定部はこれに限られない。例えば、当接突起部３５に代えて、側方傾斜壁６３を左右方向Ｙに連結するとともに底壁６１から上方に向かい突出する平板状の隔壁を設けることもできる。要するに、固定部は、プラグ２がコネクタ１に接続された状態において、プラグ２がコネクタ１に対して前方に移動することを規制する形状であればよい。
【００８１】
上記実施形態では、扉体３１に凹所６０を設けるとともに、凹所６０のうちの当接突起部３５よりも前方の部位にて規制部６４が形成されたが、規制部の構成はこれに限られない。例えば、規制部として、扉体３１の凹所６０を省略するとともに、扉体３１の表面から上方に突出するとともに前後方向Ｘに延びる一対の壁部を設ける構成とすることもできる。この場合、これら壁部の左右方向Ｙの間に突起部５６が収納されることにより、プラグ２の左右方向Ｙの移動が規制される。
【００８２】
上記参考例及び実施形態では、コネクタ１が供給電流１５（Ａ）および供給電圧１２５（Ｖ）に適用するものとしたが、コネクタ１の供給電流および供給電圧の種類はこれに限られない。例えば、図１０に示すような栓刃挿入口１４の形状とすることにより、コネクタ１を供給電流２０（Ａ）および供給電圧２５０（Ｖ）に適用するものと変更することもできる。また、図８のコネクタ１以外にも栓刃挿入口１４の形状を変更することにより、コネクタ１の供給電流および供給電圧を変更することもできる。
【００８３】
上記参考例及び実施形態では、コネクタボディ１１の前端部に凹所１２を設けたが、この凹所１
２を省略することもできる。この場合、コネクタボディ１１の前面１１Ａと底面１２Ａとが面一となる。すなわち上記前面１１Ａに栓刃挿入口１４が形成される。この凹所１２を省略した構成においても上記参考例の効果（１）、（２）および（４）〜（９）に準じた効果を奏することができる。
【００８４】
上記参考例及び実施形態では、支持部１３が接地用挿入口１４Ｂよりも下方に設けられたが、支持部１３の位置は、これに限られない。例えば、電源用挿入口１４Ａよりも上方に支持部１３を設けることもできる。または栓刃挿入口１４と上下方向Ｚにおいて同位置かつ同挿入口１４よりも右方または左方に支持部１３を設けることもできる。
【００８５】
上記参考例及び実施形態では、扉体開閉機構３０にダンパ３４を設けたが、このダンパ３４を省略することもできる。ダンパ３４を省略した構成においても上記参考例の効果（１）および（３）〜（１０）に準じた効果を奏することができる。
【００８６】
上記参考例及び実施形態では、付勢部材として、つるまきばね（ばね部材３３）を用いたが、付勢部材の種類はこれに限られない。扉体３１を閉位置に向けて付勢する部材または機構であればよい。
【００８７】
上記参考例及び実施形態では、付勢力減衰部材として、シャフト３２との間に摺動抵抗を付与するダンパ３４を用いたが、付勢力減衰部材の種類はこれに限られない。扉体３１の閉位置への付勢力が減衰される部材または機構であればよい。
【００８８】
上記参考例及び実施形態では、扉体３１が凹所１２の周縁に当接して凹所１２を前方から覆うことにより、栓刃挿入口１４を前方から覆う構成であったが、扉体３１が栓刃挿入口１４を覆う構成はこれに限られない。扉体３１が栓刃挿入口１４の周縁に当接することにより、栓刃挿入口１４のみを覆う構成とすることもできる。
【００８９】
上記参考例及び実施形態では、刃受部材４０として、刃受部４１、接続端子４２および連結部４３が単一部材として構成されたが、刃受部材４０の構成はこれに限られない。例えば刃受部材として、刃受部４１のみを有する刃受専用部材と、連結部４３および接続端子４２とを有する端子部材とが溶接およびねじ固定により一体化された構成とすることもできる。
【００９０】
上記参考例及び実施形態では、プラグ２はコネクタ１に接続されたが、プラグ２の適用はこれに限られない。例えば、屋外の駐車場に立設されている充電スタンド（充電装置）に設けられるコンセントに接続することもできる。また家屋の外壁に設けられる防水コンセントに接続することもできる。
【００９１】
上記参考例及び実施形態では、コネクタ１は電源装置３に接続されたが、コネクタ１の接続機器はこれに限られない。コネクタ１は機器と、別の機器に設けられたプラグとを接続する構成であれば、電源装置３以外の機器にも接続することもできる。
【符号の説明】
【００９２】
１…コネクタ（コードコネクタ）、２…プラグ、３…電源装置（電源）、１０…コネクタ本体、１１Ａ…前面、１２…凹所、１２Ａ…底面、１４…栓刃挿入口、２０…コード、２１…電線、３１…扉体、３３…ばね部材（付勢部材）、３４…ダンパ（付勢力減衰部材）、３５…当接突起部（固定部）、５１…プラグボディ、５２…栓刃、５６…突起部（プラグの突起部）、６０…凹所（扉体側凹所）、６４…規制部、６５…固定部。
【図１】
0005853168.tif 000002
【図２】
0005853168.tif 000003
【図３】
0005853168.tif 000004
【図４】
0005853168.tif 000005
【図５】
0005853168.tif 000006
【図６】
0005853168.tif 000007
【図７】
0005853168.tif 000008
【図８】
0005853168.tif 000009
【図９】
0005853168.tif 000010
【図１０】
0005853168.tif 000011